(57)【要約】【課題】手軽に足湯を利用可能な浴槽を提供する。【解決手段】浴槽１は、浴槽本体１０と、浴槽本体１０の側壁１２上部側に位置する一端側から、浴槽本体１０の底部１１側に位置する他端側へ亘って脚が載置可能な載置板２０と、載置板２０の一端側に設けられ、載置板２０が回動する際の支点となる支点部２４と、支点部２４を支持する支持軸３０と、を備える。【選択図】図２
0003198059.tif 000002
【実用新案登録請求の範囲】
【請求項１】
浴槽本体と、
前記浴槽本体の側壁上部側に位置する一端側から、前記浴槽本体の底部側に位置する他端側へ亘って脚が載置可能な載置板と、
前記載置板の一端側に設けられ、前記載置板が回動する際の支点となる支点部と、
前記支点部を支持する支持部と、
を備える、浴槽。
【請求項２】
前記浴槽本体の上部縁に切り欠きが形成された切り欠き部を更に備え、
前記支点部及び支持部は、前記切り欠き部に位置している、
請求項１に記載の浴槽。
【請求項３】
前記載置板は、前記浴槽本体の上部縁から底部に亘って前記側壁に対面している第１位置と、前記第１位置よりも前記側壁から離間している第２位置との間で回動する、
請求項１又は２に記載の浴槽。
【請求項４】
前記載置板は、前記他端から曲げられた曲げ部を有し、
前記浴槽本体は、前記底部に、前記載置板が前記第１位置に位置する際に前記曲げ部を収納する凹部を有する、
請求項３に記載の浴槽。
【請求項５】
前記載置板が前記第１位置に位置した状態を保持する保持部材を更に備える、
請求項３又は４に記載の浴槽。
【考案の詳細な説明】
【技術分野】
【０００１】
本考案は、足湯が利用可能な浴槽に関する。
【背景技術】
【０００２】
近年、ユーザが希望する様々な入浴形態を実現すべく、入浴用の補助具が利用されている。
例えば、下記の特許文献１には、裏面に設けた吸盤によって浴槽縁に固定される入浴用補助具が開示されている。また、特許文献２には、浴槽縁に係合可能な係止部材を有する背当て板が開示されている。
【先行技術文献】
【特許文献】
【０００３】
【特許文献１】特開２００１−１６９９５１号公報
【特許文献２】登録実用新案第２５４１６９９号公報
【考案の概要】
【考案が解決しようとする課題】
【０００４】
ところで、浴槽を用いて足湯を行いたいというニーズがある。例えば、脚の不自由な人でも容易に足湯が可能な浴槽の実現が、要請されている。
【０００５】
しかし、特許文献１の補助具及び特許文献２の背当て板（以下、従来の補助具と呼ぶ）は、体全体をお湯に浸けるのを補助するものであり、足湯を想定した補助具ではないので、足湯に適用した場合には適切な補助が期待できない。
また、従来の補助具は、着脱式のため浴槽への固定度合いが小さく、使用中に浴槽から外れてしまう恐れがある。また、浴槽の形状によっては、従来の補助具を浴槽に固定できず、利用することができない恐れがある。
【０００６】
そこで、本考案はこれらの点に鑑みてなされたものであり、手軽に足湯を利用可能な浴槽を提供することを目的とする。
【課題を解決するための手段】
【０００７】
本考案の第１の態様においては、浴槽本体と、前記浴槽本体の側壁上部側に位置する一端側から、前記浴槽本体の底部側に位置する他端側へ亘って脚が載置可能な載置板と、前記載置板の一端側に設けられ、前記載置板が回動する際の支点となる支点部と、前記支点部を支持する支持部と、を備える、浴槽を提供する。
【０００８】
また、前記浴槽は、前記浴槽本体の上部縁に切り欠きが形成された切り欠き部を更に備え、前記支点部及び支持部は、前記切り欠き部に位置していることとしてもよい。
【０００９】
また、前記載置板は、前記浴槽本体の上部縁から底部に亘って前記側壁に対面している第１位置と、前記第１位置よりも前記側壁から離間している第２位置との間で回動することとしてもよい。
【００１０】
また、前記載置板は、前記他端から曲げられた曲げ部を有し、前記浴槽本体は、前記底部に、前記載置板が前記第１位置に位置する際に前記曲げ部を収納する凹部を有することとしてもよい。
【００１１】
また、前記浴槽は、前記載置板が前記第１位置に位置した状態を保持する保持部材を更に備えることとしてもよい。
【考案の効果】
【００１２】
本考案によれば、手軽に足湯を利用可能な浴槽を提供できるという効果を奏する。
【図面の簡単な説明】
【００１３】
【図１】本考案の一実施形態に係る浴槽１を示す斜視図である。
【図２】側壁１２及び載置板２０の詳細構成を示す図である。
【図３】載置板２０が収納位置に位置する状態を示す図である。
【図４】載置板２０が湯水の浮力を受けて浮遊している状態を示す図である。
【図５】ユーザが足湯を行っている際の載置板２０の状態を示す図である。
【考案を実施するための形態】
【００１４】
＜浴槽の概要＞
図１を参照しながら、本考案の一実施形態に係る浴槽１の概要について説明する。
図１は、本考案の一実施形態に係る浴槽１を示す斜視図である。
【００１５】
浴槽１は、浴室等に設置されており、温水を貯湯する。浴槽１は、入浴だけでなく、足湯としても利用可能である。浴槽１は、温水として、例えば炭酸ガスが溶解した温水である炭酸泉を貯湯してもよい。炭酸泉は、含有している炭酸ガスが入浴者の体内に入ることによって、皮膚の血行が改善されるという効果がある。
浴槽１は、図１に示すように、浴槽本体１０と、載置板２０とを有する。
【００１６】
浴槽本体１０は、平面視形状が矩形である直方体の形状を有する。浴槽本体１０は、底部１１と、底部１１から立設した４つの側壁１２、１３、１４、１５とを有する。底部１１と４つの側壁１２〜１５で囲まれた領域が、温水を貯湯する空間となる。
【００１７】
側壁１２、１３は、浴槽本体１０の長手方向（図１のＸ方向）に沿って形成された壁であり、側壁１４、１５は、浴槽本体１０の短手方向（図１のＹ方向）に沿って形成された壁である。側壁１２〜１５の高さは、標準的な成人のひざ下の長さとほぼ同じ大きさである。
【００１８】
載置板２０は、足湯をする際に、ユーザの脚が載置される板である。本実施形態では、載置板２０は、脚の不自由な人（例えば、車椅子を利用する人）が、足湯のために浴槽本体１０内に脚を入れるのを補助する補助具として利用可能な構成となっている。載置板２０は、足湯を利用する人が取り外しできないように、浴槽本体１０に取り付けられている。
【００１９】
載置板２０は、図１に示すように、側壁１２及び側壁１３にそれぞれ２つずつ設けられており、４人が同時に足湯を行うことが可能となっている。載置板２０は、浴槽本体１０内の温水からの浮力を受けて浮遊する浮遊部材でもある。また、載置板２０は、側壁１２、１３の上部に回動可能に支持されている。かかる載置板２０を設けることで、脚の不自由な人等が、浴槽１を用いて手軽に足湯を行うことが可能となる。
【００２０】
＜載置板及び周辺部の詳細構成＞
図２〜図５を参照しながら、載置板２０及び載置板２０の周辺部の詳細構成について説明する。
【００２１】
図２は、側壁１２及び載置板２０の詳細構成を示す図である。図３は、載置板２０が収納位置に位置する状態を示す図である。図４は、載置板２０が湯水の浮力を受けて浮遊している状態を示す図である。図５は、ユーザが足湯を行っている際の載置板２０の状態を示す図である。なお、図２では、説明の便宜上、側壁１２に設けられた二つの載置板２０のうちの一方のみを示し、他方を省略している。
【００２２】
側壁１２及び側壁１３に設けられた載置板２０は同一の構成であるので、ここでは、側壁１２に設けられた載置板２０を例に挙げて説明する。また、載置板２０の周辺部には、図２に示すように、支持軸３０及び保持部材４０が設けられている。そこで、以下では、載置板２０、支持軸３０及び保持部材４０の詳細構成について説明する。
【００２３】
載置板２０は、図２に示すように一端側が浴槽本体１０の側壁１２の上部側に位置し、他端側が浴槽本体１０の底部１１側に位置する平板状の部材である。載置板２０は、温水に対して浮遊しやすいように、樹脂製から成る。例えば、載置板２０は、優れた強度を有する繊維強化プラスチック（ＦＲＰ）から成る。
【００２４】
ユーザは、図５に示すように載置板２０の一端側から他端側へ亘って脚を載置することで、足湯を行うことが可能である。また、載置板２０は、浴槽本体１０の上部縁から底部１１に亘って側壁１２に対面している収納位置（図３に示す位置）と、収納位置よりも側壁１２から離間している浮遊位置（図４に示す位置）との間で回動する。なお、本実施形態では、収納位置が第１位置に該当し、浮遊位置が第２位置に該当する。
【００２５】
載置板２０は、基部２１と、一端曲げ部２２と、他端曲げ部２３と、支点部２４とを有する。
【００２６】
基部２１は、平板である。基部２１は、図５に示すように載置板２０に載置されたユーザの脚Ｆの裏側Ｆ１に対面する。基部２１は、浴槽本体１０内の温水から浮力を受けて、図４に示すように浮遊する。また、基部２１は、図３に示すように載置板２０が収納位置に位置する際に、側壁１２の側壁凹部１２２（図２）に収納される。このため、基部２１は、載置板２０が収納位置に位置する際には、側壁１２の一部を構成する。
【００２７】
一端曲げ部２２は、基部２１の長手方向の一端から外方へ向けて直角に曲げられた部分である。一端曲げ部２２は、側壁１２の上部縁を切り欠いた切り欠き部１２１（図２）に位置している。また、一端曲げ部２２は、図２に示すように、側壁１２の上部の曲面と同じ形状となっている。このため、一端曲げ部２２は、載置板２０が収納位置に位置する際には、側壁の機能も有する。
【００２８】
他端曲げ部２３は、基部２１の長手方向の他端から曲げられた部分である。他端曲げ部２３の曲げ方向は、一端曲げ部２２の曲げ方向の逆方向である。他端曲げ部２３は、図３に示すように載置板２０が収納位置に位置する際に、浴槽本体１０の底部１１に設けられた底凹部１１１（図２）に収納される。この場合、他端曲げ部２３は、載置板２０が収納位置に位置する際には、底部の機能も有する。
【００２９】
支点部２４は、載置板２０（具体的には、基部２１、一端曲げ部２２及び他端曲げ部２３）が回動する際の支点となる部分である。支点部２４は、基部２１の一端側に、基部２１から外方へ向けて突出するように形成されている。支点部２４は、切り欠き部１２１に位置している。
【００３０】
支持軸３０は、支点部２４を支持する支持部である。支持軸３０は、切り欠き部１２１に位置している。このため、支持軸３０が、浴槽本体１０からはみでる恐れがなくなる。支持軸３０は、軸方向の両端側で締結部材（ネジ等）によって側壁１２に対して回動可能に固定されている。本実施形態では、支持軸３０と載置板２０とが連動して回動する。
【００３１】
保持部材４０は、載置板２０が収納位置に位置した状態を保持する機能を有する。保持部材４０は、図２に示すように一端曲げ部２２と側壁１２の上面１２ａとの間の隙間に嵌め込まれることで、載置板２０の回動を規制する。ここでは、保持部材４０は、着脱可能に装着されるものである。保持部材４０が装着された場合には、保持部材４０が支点部２４及び支持軸３０を覆うことになる。
なお、保持部材４０は、上記の構成に限定されず、例えば載置板２０に設けられ側壁１２と係合可能なフックであってもよい。
【００３２】
＜浴槽１を用いて足湯をする際の流れ＞
ここでは、載置板２０が図３に示す収納位置に位置しているものとして、説明を行う。
まず、ユーザは、浴槽本体１０に装着された保持部材４０を取り外す。これにより、載置板２０が回動可能となる。
【００３３】
次に、ユーザは、浴槽本体１０に温水（例えば炭酸泉）を入れる。浴槽本体１０内の温水の量が増えてくると、載置板２０は、温水からの浮力を受けて回動し、収納位置から例えば図４に示すような浮遊位置に回動する。このように、ユーザが載置板２０を手で回動させる必要がないので、利便性が高まる。
【００３４】
次に、ユーザは、浮遊位置に位置する載置板２０上に脚を載せる。例えば、車椅子に乗った人の脚を載置板２０上に載せる際には、踵を載置板２０の一端曲げ部２２上に載せた状態で前方に車椅子を押すことで、足が他端曲げ部２３にスライドする。その後、載置板２０は、脚の自重で回動し、例えば図５に示すような位置に位置する。これにより、足が温水の中に入り、足湯を楽しむことが可能となる。
【００３５】
なお、足湯が終わった後は、車椅子を後方に移動させることで、踵が他端曲げ部２３から一端曲げ部２２にスライドする。この際、載置板２０は、図５に示す位置から図４に示す位置へ移動する。このため、脚を載置板２０から下ろしやすくなる。
【００３６】
＜本実施形態における効果＞
上述したように、本実施形態の浴槽１は、脚が載置される載置板２０の一端側に設けられ、載置板２０が回動する際の支点となる支点部２４と、支点部２４を支持する支持軸３０とを有する。
かかる場合には、浴槽１内の温水から浮力を受けて浮遊する載置板２０上に脚を載せることで、載置板２０が脚の自重により回動し、脚が温水の水面下に位置する。このため、足が不自由な人でも、浮遊している載置板２０上に脚を載せるだけで、気楽に足湯を楽しむことが可能となる。
【００３７】
なお、上記では、載置板２０の一端曲げ部２２が浴槽本体１０の切り欠き部１２１に位置することとしたが、これに限定されない。例えば、一端曲げ部２２は浴槽本体１０の上部縁上に位置してもよい。
【００３８】
以上、本考案を実施の形態を用いて説明したが、本考案の技術的範囲は上記実施の形態に記載の範囲には限定されない。上記実施の形態に、多様な変更又は改良を加えることが可能であることが当業者に明らかである。そのような変更又は改良を加えた形態も本考案の技術的範囲に含まれ得ることが、特許請求の範囲の記載から明らかである。
【符号の説明】
【００３９】
１    浴槽
１０    浴槽本体
１１    底部
１２、１３、１４、１５    側壁
２０    載置板
２３    他端曲げ部
２４    支点部
３０    支持軸
４０    保持部材
１１１    底凹部
１２１  切り欠き部
【図１】
0003198059.tif 000003
【図２】
0003198059.tif 000004
【図３】
0003198059.tif 000005
【図４】
0003198059.tif 000006
【図５】
0003198059.tif 000007